(57)【特許請求の範囲】
【請求項１】
ディスク状記憶媒体を正回転方向に駆動することにより情報を再生または記録可能とし、逆回転方向に駆動することによって前記ディスク状記憶媒体を停止状態とする駆動手段と、
この駆動手段の回転駆動に応じて速度検出用のパルスを発生するパルス発生手段と、
通電により前記ディスク状記憶媒体に渦電流を発生可能な位置に設けられた電磁石と、
この電磁石に電源部からの電圧を供給させるスイッチと、
前記パルス発生手段からの検出信号を受けて前記駆動手段の回転動作を判別し、この駆動手段が逆回転方向の駆動に切り換わったときおよび／または高速回転から停止動作に移行するときに前記スイッチをオンさせて前記電磁石に電源電圧を供給させる制御を行う制御手段と、を備えたディスク状記憶媒体の制動装置。
【請求項２】
ディスク状記憶媒体を正回転方向に駆動することにより情報を再生または記録可能とし、逆回転方向に駆動することによって前記ディスク状記憶媒体を停止状態とする駆動手段と、
この駆動手段の回転駆動に応じて速度検出用のパルスを発生するパルス発生手段と、
通電により前記ディスク状記憶媒体に渦電流を発生可能な位置に設けられた電磁石と、
この電磁石に電源部からの電圧を供給させるスイッチと、
前記パルス発生手段からの検出信号を受けて前記駆動手段の回転動作を判別し、この駆動手段が逆回転方向の駆動に切り換わったときに前記スイッチをオンさせて前記電磁石に電源電圧を供給させる制御を行う制御手段と、を備えたディスク状記憶媒体の制動装置。
【請求項３】
前記制御手段が、前記ディスク状記憶媒体の高速回転時に前記スイッチをオンさせた後、前記駆動手段を停止動作させることを特徴とする請求項２に記載のディスク状記憶媒体の制動装置。
【請求項４】
前記電磁石が、前記ディスク状記憶媒体の上面または下面の何れかに対向して配置されてなることを特徴とする請求項２に記載のディスク状記憶媒体の制動装置。
【請求項５】
前記電磁石が略コ字状に形成され、ＮＳ極が前記ディスク状記憶媒体の上下面に対向する挟持状態に配置されてなることを特徴とする請求項２に記載のディスク状記憶媒体の制動装置。
【発明の詳細な説明】
【技術分野】
【０００１】
本発明は、ＤＶＤやＣＤ等のディスク状記憶媒体を回転後に制動して停止させるディスク状記憶媒体の制動装置に係り、特に、ディスク自体に制動作用を生じさせ得るディスク状記憶媒体の制動装置に関する。
【背景技術】
【０００２】
ディスク状記憶媒体の記録情報を再生させるディスクプレイヤーは、ディスクを載置するターンテーブルを回転させる駆動装置として、スピンドルモータ等のディスクモータが用いられている。
また、このディスクモータの回転軸には、スリットを設けた円盤が固着され、この円盤の上下面に対向して発光ダイオードとフォトセンサからなるセンサを配置している。
そして、円盤が回転したとき、センサからパルス信号を出力させ、このパルスの間隔でディスクモータの速度を検出するようになっている。
この種の駆動装置は、ディスクの停止動作時にディスクモータを逆転駆動させてディスクを素早く停止させるようにしている。
ところが、前記センサからのパルス間隔によってモータの速度を検出する場合、停止速度と判断する所定値以下の速度を検出するよりも先にモータが逆転して逆転方向に加速してしまい、停止動作に失敗する問題があった。
【０００３】
そこで、この問題を解消するために各種の提案がなされており、１つのセンサを有するディスクモータを使用して、容易に逆転を検出しディスクを素早く確実に回転停止させることを目的としたディスク状記憶媒体の駆動装置が提案されている（例えば、特許文献１参照）。
このものは、駆動手段、パルス発生手段および逆転検出手段を備えて構成されている。そして、駆動手段が、ディスク状の記録媒体を逆転方向に駆動させて停止状態とする際に、逆転検出手段により駆動手段の回転検出に応じて発生する速度検出用パルスの少なくとも２つ以上のパルス間隔を連続して測定する。
さらに、このパルス間隔を比較することによって駆動手段の回転速度の減少あるいは増加を検出し、この回転速度が減少から増加に変化したことから駆動手段の逆転を検出することにより、確実な記録媒体の停止動作がなされるというものである。
【特許文献１】特開平６−２２３４８９号公報
【発明の開示】
【発明が解決しようとする課題】
【０００４】
しかしながら、上記特許文献１の駆動装置は、ディスクモータを逆転駆動して制動させる際、速度検出用のパルスを用いてディスクを確実に制動させるものの、ディスクモータを単に逆転駆動させるだけなので、ディスクをより迅速に停止させることはできなかった。
【０００５】
そこで、本発明は、上記の問題に鑑みてなされたものであり、ディスクモータを逆転駆動させた後、ディスク自体に制動作用を生じさせてより迅速に停止させることができるディスク状記憶媒体の制動装置を提供することを目的としている。                 
【課題を解決するための手段】
【０００６】
上記目的を達成するため、本発明によるディスク状記憶媒体の制動装置は、
ディスク状記憶媒体を正回転方向に駆動することにより情報を再生または記録可能とし、逆回転方向に駆動することによって前記ディスク状記憶媒体を停止状態とする駆動手段と、この駆動手段の回転駆動に応じて速度検出用のパルスを発生するパルス発生手段と、通電により前記ディスク状記憶媒体に渦電流を発生可能な位置に設けられた電磁石と、この電磁石に電源部からの電圧を供給させるスイッチと、前記パルス発生手段からの検出信号を受けて前記駆動手段の回転動作を判別し、この駆動手段が逆回転方向の駆動に切り換わったときおよび／または高速回転から停止動作に移行するときに前記スイッチをオンさせて前記電磁石に電源電圧を供給させる制御を行う制御手段と、を備えたディスク状記憶媒体の制動装置ディスク状記憶媒体を正回転方向に駆動することにより情報を再生または記録可能とし、逆回転方向に駆動することによって前記ディスク状記憶媒体を停止状態とする駆動手段と、この駆動手段の回転駆動に応じて速度検出用のパルスを発生するパルス発生手段と、通電により前記ディスク状記憶媒体に渦電流を発生可能な位置に設けられた電磁石と、この電磁石に電源部からの電圧を供給させるスイッチと、前記パルス発生手段からの検出信号を受けて前記駆動手段の回転動作を判別し、この駆動手段が逆回転方向の駆動に切り換わったときおよび／または高速回転から停止動作に移行するときに前記スイッチをオンさせて前記電磁石に電源電圧を供給させる制御を行う制御手段と、を備えている。
これにより、電磁石が通電状態になるとディスクの周囲に発生する磁界とディスクに流れる渦電流による磁界とが互いに引き合うため、ディスクに制動作用が生じて迅速に停止する。
【０００７】
また、上記目的を達成するための本発明によるディスク状記憶媒体の制動装置は、ディスク状記憶媒体を正回転方向に駆動することにより情報を再生または記録可能とし、逆回転方向に駆動することによって前記ディスク状記憶媒体を停止状態とする駆動手段と、この駆動手段の回転駆動に応じて速度検出用のパルスを発生するパルス発生手段と、通電により前記ディスク状記憶媒体に渦電流を発生可能な位置に設けられた電磁石と、この電磁石に電源部からの電圧を供給させるスイッチと、前記パルス発生手段からの検出信号を受けて前記駆動手段の回転動作を判別し、この駆動手段が逆回転方向の駆動に切り換わったときに前記スイッチをオンさせて前記電磁石に電源電圧を供給させる制御を行う制御手段と、を備えている。
これにより、電磁石が通電状態になるとディスクの周囲に発生する磁界とディスクに流れる渦電流による磁界とが互いに引き合うため、ディスクに制動作用が生じて迅速に停止する。
【０００８】
ここで、ディスクの制動作用を高めるため、前記電磁石を前記ディスク状記憶媒体の上面または下面の何れかに対向して配置するのが好ましい。
また、ディスクの制動作用をより一層高めるため、前記電磁石を略コ字状に形成し、ＮＳ極が前記ディスク状記憶媒体の上下面に対向する挟持状態に配置するのが好ましい。
【発明の効果】
【０００９】
以上説明したように、本発明によれば、駆動手段が逆回転方向の駆動に切り換わったときおよび／または高速回転から停止動作に移行するときにスイッチをオンさせて電磁石を通電状態にするので、ディスクの周囲に発生する磁界とディスクに流れる渦電流による磁界とが互いに引き合い、ディスクに制動作用が生じて迅速に停止させることができる効果がある。。
また、駆動手段が逆回転方向の駆動に切り換わったときにスイッチをオンさせて電磁石を通電状態にするので、ディスクの周囲に発生する磁界とディスクに流れる渦電流による磁界とが互いに引き合い、ディスクに制動作用が生じて迅速に停止させることができる効果がある。
【００１０】
また、前記電磁石が前記ディスク状記憶媒体の上面または下面の何れかに対向して配置されるので、ディスクの制動作用を高めることができる利点がある。
また、前記電磁石が略コ字状に形成され、ＮＳ極が前記ディスク状記憶媒体の上下面に対向する挟持状態に配置されるので、ディスクの制動作用をより一層高めることができる利点がある。
【発明を実施するための最良の形態】
【００１１】
以下、本発明のディスク状記憶媒体の制動装置の実施形態について、図面を参照しながら詳述する。
図１は本発明の一実施形態であるディスク状記憶媒体の制動装置の概要構成を示す説明図である。
本実施形態のディスク状記憶媒体の制動装置は、ＣＤやＤＶＤ等のディスク１に記録された情報を再生させるディスクプレイヤーに適用されたもので、スピンドルモータ２、センサ４、パルス発生部５、電磁石６および制御部１０等を備えて構成されている。
【００１２】
スピンドルモータ２は、回転軸２ａの上端にターンテーブルを固着してあり、このテーブル上にディスク１が載置される。そして、回転軸２ａの中途には、スリットを開設した円盤３が一体的に取り付けられている。
また、このスピンドルモータ２には、駆動部９の出力が接続され、さらに、この駆動部９は制御部１０と双方向性に接続されている。
この駆動部９は、制御部１０の正回転指令に基づき、センサ４の出力パルス信号を受けてスピンドルモータ２の回転を制御する構成になっている。
すなわち、この駆動部９は、パルス信号の間隔からスピンドルモータ２の回転を検出しつつ正回転方向に駆動させる。このとき、スピンドルモータ２の速度が、目標速度になるよう駆動することにより、ディスク１を定常速度に回転制御できる。
また、制御部１０の停止指令に基づいて、正回転駆動と同じ駆動電力を逆転方向に供給し、正回転から逆回転方向に駆動することにより、ディスク１の回転速度を下げて停止制御するようになっている。
【００１３】
センサ４は、発光ダイオードとフォトトランジスタとからなり、前記円盤３のスリットの上下に配置されている。
また、パルス発生部５は、センサ４と前記円盤３とにより構成され、出力を駆動部９および制御部１０に接続している。このパルス発生部５は、スピンドルモータ２の回転に応じて円盤３のスリットを光学的に検出し、１回転につき１または２個のパルス信号を出力するようになっている。
電磁石６は略コ字状で、コイルが巻回されたコアの両端がＮ極とＳ極になっている。この電磁石６は、ディスク１の上下を挟むように、Ｎ極とＳ極がディスク１の中心に向きに延出する配置としている。
そして、コイルの一端をスイッチ７の固定接点に接続し、他端を電源部８に接続している。このスイッチ７は、可動接点が電源部８に接続されており、この可動接点に制御部１０のオン・オフ信号が導かれている。
この制御部１０が、スイッチ７をオンさせると電磁石６が通電状態となり、ディスク１上で渦電流の発生が可能となる。
【００１４】
この制御部１０は、マイクロコンピュータであり、各種データを記憶するメモリや、パルス信号の間隔を測定するタイマ等を備えている。そして、前記回路各部とは、その機能に応じて一方向または双方向性に接続されている。
この制御部１０は、ユーザーが図示省略したキー操作部やリモコンでディスク１の再生または停止操作を行うと、これに応じてスピンドルモータ２をオン・オフさせる駆動制御信号と、駆動方向を指示する方向指示信号とを駆動部９に送出する。
なお、この方向指示信号は、オン指示時にスピンドルモータ２を正回転方向に、オフ指示時に逆回転方向に駆動させるものである。
また、制御部１０は、パルス発生部５からの検出信号を受けて駆動部９の回転制御動作を判別し、この駆動部９が逆回転方向の駆動に切り換わったときおよび／または高速回転から停止動作に移行するときにスイッチ７をオンさせて電磁石６に電源部８の出力電圧を供給させる制御を行う構成になっている。
【００１５】
次に、上記ディスク状記憶媒体の制動装置の動作について、図を参照しつつ説明する。
ユーザーの再生操作に基づき、制御部１０に再生指令信号が送出されてくると、制御部１０は、オンの駆動制御信号とオンの方向指示信号とを駆動部９に出力する。
これに応じて、駆動部９はスピンドルモータ２を正回転方向へ駆動させる。この駆動開始後、駆動部９は、パルス発生部５からの出力信号を受けてパルス間隔を検出し、このパルス間隔が所定値以下になったときに定常速度になったと判断する。そして、オフの駆動制御信号を送出し、正回転駆動動作を終了する。
この後、ユーザーの停止操作に基づき、正回転中に停止指令信号が送出されてくると、制御部１０は、オフの方向指示信号とオンの駆動制御信号とを駆動部９に送出する。
【００１６】
これに伴い、駆動部９はスピンドルモータ２を逆回転方向へ駆動させる。この後、駆動部９は、パルス発生部５からのパルス間隔を検出し、このパルス間隔が所定値以上になったとき、すなわち、スピンドルモータ２の速度が所定値以下になった場合に逆転したと判断して、オフの駆動制御信号を送出することにより、逆回転駆動動作を終了する。
制御部１０は、駆動部９の制御動作に応じてスイッチ７をオンさせ、電磁石６に電源部８の出力電圧を供給させる。すると、この電磁石６のＮ極からＳ極に向けて磁束が放散され、ディスク１の周囲に磁界が発生する。
この磁界が円盤３状のディスク１に向けられると、アラゴの円盤３の原理として知られているように、静止したディスク１を回転させる力となって作用する。
【００１７】
しかし、このディスク１は、回転していることから、磁界を切る状態となり、レンツの法則として知られる誘導起電力が発生してディスク１の上面に渦電流が流れる。
ディスク１自体に渦電流が生じると、このディスク１の周囲には、新たな磁界が発生する。この結果、渦電流による磁界と前記ディスク１周囲の磁界とが互いに引き合い、ディスク１を制動させる力として作用する。
回転中のディスク１は、この制動力によって回転力が低下するため、スピンドルモータ２の速度も低下する。これに伴い、パルス発生部５からのパルス間隔が大きくなるので、制御部１０は所定値以下になったときに、スイッチ７をオフさせて電磁石６への電圧供給を停止させる。
これにより、スピンドルモータ２の回転が急速に低下して、ディスク１が早期に停止する。
【００１８】
ところで、上記実施の形態では、ディスク１が逆回転するときにスイッチ７をオンさせて停止動作させたが、ディスク１が高速回転から停止動作に移行するときに停止動作させる制御を行ってもよい。
この場合は、駆動部９がパルス発生部５のパルス検出信号を受けて、スピンドルモータ２の速度が定速から高速に移行した後、再び定速または低速に移行するとき、制御部がスイッチ７をオンさせて電磁石６に電源電圧を供給させる。
これにより、早送りモードや早戻しモードから再生モード等に切り換わるときの移行が迅速に行われる。
【００１９】
また、上記実施の形態では、略コ字状の電磁石６を用いる場合について説明したが棒状の電磁石６を使用してもよい。この棒状電磁石６は、鉄心にコイルを巻回したもので、このコイルの一端を前記電源部８に、他端をスイッチ７にそれぞれ接続する。そして、ディスク１の上面に対向するように、棒状電磁石６のＮ極を配置しておく。
これにより、駆動部９がディスク１の逆転を判断した時点で、制御部１０がスイッチ７をオンさせると、棒状電磁石６のＮ極からディスク１の上面に向けて磁束が放散されるため、前述の如くディスク１に渦電流が生じる。
この渦電流により回転中のディスク１が制動力を受けるため、回転力が低下してスピンドルモータ２の回転も急速に低下し、ディスク１が早期に停止するものである。
なお、本発明は上記の各実施形態に限定されず、本発明の趣旨を逸脱しない範囲で、種々の変更が可能である。
【図面の簡単な説明】
【００２０】
【図１】本発明の一実施形態であるディスク状記憶媒体の制動装置を示す概要構成図である。
【図２】ディスク状記憶媒体に電磁石を配置した状態を示す斜視図である。
【符号の説明】
【００２１】
１    ディスク状記憶媒体
４    パルス発生手段
６    電磁石
７    スイッチ
８    電源部
９    駆動手段
１０    制御手段
【図１】
0003713713.tif 000002
【図２】
0003713713.tif 000003